(57)【要約】【課題】  クロックの供給源からの距離による劣化の少ない高精度のクロックを常に選択し、誤り率の低い高品質な通信を確保する手段を提供する。【解決手段】  リング型ネットワークシステムの各ノードは、データ転送部およびクロック選択部を有している。データ転送部は、クロックの中継中継段数および優先順位を示す情報をヘッダ領域等に格納し、情報が格納されたフレームを隣接するノードに転送する。そして、クロック選択部は、受信した優先順位情報および中継段数情報に基づいて、優先順位が予め設定されている自ノードクロック、０系クロック、１系クロックのいずれかを基準クロックとして選択する。この結果、各ノードは、クロックの供給源からの距離による劣化の少ない高精度のクロックに同期し、誤り率の低い高品質な通信を確保できる。【選択図】    図１
2008011223.tif 000002
【特許請求の範囲】
【請求項１】
情報が格納されたフレームを互いに逆方向に伝送する０系および１系に二重化された伝送路と、この伝送路を介して接続された複数のスレーブノードと、前記スレーブノードより上位の同期網および前記スレーブノードに接続されたマスタノードとを有するリング型ネットワークシステムであって、
前記各ノードは、
基準クロックを選択するための優先順位が予め設定された自ノードクロックを生成する自ノードクロック生成部と、
基準クロックが中継されたノードの中継段数を示す中継段数情報および前記優先順位を示す優先順位情報を前記フレームに格納し、情報を格納した前記フレームを次のノードに転送するデータ転送部と、
前記０系の伝送路から供給されるクロックである０系クロック、前記１系の伝送路から供給されるクロックである１系クロックおよび前記自ノードクロックのうち前記優先順位の最も高いクロックを基準クロックとして選択し、前記優先順位の最も高いクロックが複数の伝送路から供給される場合は、前記優先順位の最も高い複数のクロックのうち前記中継段数の少ないクロックを前記基準クロックとして選択するクロック選択部とを有し、
前記クロック選択部により選択された前記基準クロックに同期して動作することを特徴とするリング型ネットワークシステム。
【請求項２】
請求項１記載のリング型ネットワークシステムにおいて、
前記各ノードは、前記０系クロックおよび前記１系クロックの両方を受信できない場合、前記自ノードクロックに同期して動作することを特徴とするリング型ネットワークシステム。
【請求項３】
請求項１記載のリング型ネットワークシステムにおいて、
前記クロック選択部は、前記中継段数情報および前記優先順位情報を受信する毎に、前記自ノードクロック、前記０系クロックおよび前記１系クロックの前記優先順位および前記中継段数を比較し、前記基準クロックを選択することを特徴とするリング型ネットワークシステム。
【請求項４】
請求項１記載のリング型ネットワークシステムにおいて、
少なくとも１つの前記ノードは、予め前記優先順位が設定された外部クロックを受信する外部クロック入力部を有し、
前記クロック選択部は、前記外部クロック、前記自ノードクロック、前記０系クロックおよび前記１系クロックのいずれかを前記基準クロックとして選択することを特徴とするリング型ネットワークシステム。
【請求項５】
請求項４記載のリング型ネットワークシステムにおいて、
前記クロック選択部は、前記自ノードクロックより高い優先順位の前記外部クロックを受信している場合、前記外部クロック、前記０系クロックおよび前記１系クロックのいずれかを前記基準クロックとして選択することを特徴とするリング型ネットワークシステム。
【請求項６】
情報が格納されたフレームを互いに逆方向に伝送する０系および１系に二重化された伝送路と、この伝送路を介して接続された複数のスレーブノードと、前記スレーブノードより上位の同期網および前記スレーブノードに接続されたマスタノードとを有するリング型ネットワークシステムの基準クロック選択方法であって、
前記各ノードは、
基準クロックを選択するための優先順位が予め設定された自ノードクロックを生成し、
基準クロックが中継されたノードの中継段数を示す中継段数情報および前記優先順位を示す優先順位情報を前記フレームに格納し、情報を格納した前記フレームを次のノードに転送し、
前記０系の伝送路から供給されるクロックである０系クロック、前記１系の伝送路から供給されるクロックである１系クロックおよび前記自ノードクロックのうち前記優先順位の最も高いクロックを基準クロックとして選択し、前記優先順位の最も高いクロックが複数の伝送路から供給される場合は、前記優先順位の最も高い複数のクロックのうち前記中継段数の少ないクロックを前記基準クロックとして選択することを特徴とする基準クロック選択方法。
【請求項７】
請求項６記載の基準クロック選択方法において、
前記各ノードは、前記０系クロックおよび前記１系クロックの両方を受信できない場合、前記自ノードクロックを前記基準クロックとして選択することを特徴とする基準クロック選択方法。
【請求項８】
請求項６記載の基準クロック選択方法において、
前記各ノードは、前記中継段数情報および前記優先順位情報を受信する毎に、前記自ノードクロック、前記０系クロックおよび前記１系クロックの前記優先順位および前記中継段数を比較し、前記基準クロックを選択することを特徴とする基準クロック選択方法。
【請求項９】
請求項６記載の基準クロック選択方法において、
少なくとも１つの前記ノードは、予め前記優先順位が設定された外部クロックを受信し、
前記外部クロック、前記自ノードクロック、前記０系クロックおよび前記１系クロックのいずれかを前記基準クロックとして選択することを特徴とする基準クロック選択方法。
【請求項１０】
請求項９記載の基準クロック選択方法において、
前記ノードは、前記自ノードクロックより高い優先順位の前記外部クロックを受信している場合、前記外部クロック、前記０系クロックおよび前記１系クロックのいずれかを前記基準クロックとして選択することを特徴とする基準クロック選択方法。
【発明の詳細な説明】
【技術分野】
【０００１】
本発明は、互いに逆方向に信号を伝送する二重化された伝送路により構成されるリング型ネットワークシステムに関する。
【背景技術】
【０００２】
一般に、複数台のノードが接続されたリング型ネットワークシステムでは、予め定められたマスタノードが出力する基準クロックを二重化された伝送路で転送する。各ノードは、一方の伝送路の基準クロックに同期する。伝送路の障害により一方の基準クロックが分断された場合、各ノードは、他方の伝送路の基準クロックに同期する。また、光伝送路のリング型ネットワークシステムでは、各ノード内で生成する自ノードクロックの予め決められている優先順位を他のノードから受信した他ノードクロックの予め決められている優先順位と比較し、優先順位の高いクロックを基準クロックとして選択する方法がある。他ノードクロックの優先順位を示す情報は、例えば、データ転送に用いられるフレームのオーバヘッド領域に記憶される（例えば、特許文献１）。
【特許文献１】特開２００１−３５８７３６号公報
【発明の開示】
【発明が解決しようとする課題】
【０００３】
この種のシステムでは、各ノードは、両方の伝送路から優先順位の等しいクロックを受信した場合、クロックの供給源であるマスタノードからの距離を示す情報がないため、マスタノードからの距離が遠い伝送路からのクロックを基準クロックとして選択する場合もある。マスタノードからの距離が遠い伝送路からのクロックは、マスタノードからの距離が近い伝送路からのクロックに比べて、劣化している。したがって、各ノードは、最も劣化の少ないクロックを基準クロックとして選択していない場合もある。この場合、最も高精度のクロックを基準クロックとして選択している場合に比べて、誤り率が高くなり、高品質な通信を確保できない。
【０００４】
本発明の目的は、クロックの供給源からの距離による劣化も含めた劣化量の最も少ない高精度のクロックを常に選択し、誤り率の低い高品質な通信を確保する手段を提供することである。
【課題を解決するための手段】
【０００５】
本発明のリング型ネットワークシステムは、情報が格納されたフレームを互いに逆方向に伝送する０系および１系に二重化された伝送路を介して接続された複数のスレーブノードと、前記スレーブノードより上位の同期網および前記スレーブノードに接続されたマスタノードとを有している。各ノードは、自ノードクロック生成部、データ転送部およびクロック選択部を有し、クロック選択部により選択された基準クロックで動作する。
【０００６】
自ノードクロック生成部は、クロックを選択するための優先順位が予め設定された自ノードクロックを生成する。データ転送部は、クロックが中継されたノードの中継段数を示す中継段数情報および優先順位を示す優先順位情報をフレームに格納し、中継段数情報および優先順位情報が格納されたフレームを次のノードに転送する。
クロック選択部は、０系の伝送路から供給されるクロックである０系クロック、１系の伝送路から供給されるクロックである１系クロックおよび自ノードクロックのうち優先順位の最も高いクロックを基準クロックとして選択し、優先順位の最も高いクロックが複数の伝送路から供給される場合は、優先順位の最も高い複数のクロックのうち中継段数の少ないクロックを基準クロックとして選択する。
【発明の効果】
【０００７】
クロック選択部により選択される基準クロックは、優先順位が最も高く、クロックの供給源であるマスタノードからの中継段数の少ないクロックである。一般に、マスタノードからの中継段数が少ないクロックは、マスタノードからの中継段数が多いクロックに比べて、マスタノードからの距離が近いクロックである。したがって、クロック選択部により選択された基準クロックは、クロックの供給源からの距離による劣化も含めた劣化量の最も少ない高精度のクロックである。この結果、誤り率の低い高品質な通信を確保できる。
【発明を実施するための最良の形態】
【０００８】
以下、本発明の実施形態を図面を用いて説明する。
図１は、本発明の第１の実施形態のリング型ネットワークシステムＳＹＳを示している。この実施形態では、リング型ネットワークシステムＳＹＳは、マスタノードＭ１、Ｍ２、Ｍ３およびスレーブノードＳ１、Ｓ２、Ｓ３、Ｓ４を有している。マスタノードＭ１−Ｍ３は、スレーブノードＳ１−Ｓ４の上位の同期網により接続されるリング型ネットワークを構成している。上位の同期網の伝送路ＯＴ０、ＯＴ１は、例えば、光伝送路である。また、マスタノードＭ１、Ｍ２は、光伝送路ＯＴ０、ＯＴ１を経由して受信するデータから基準クロックを抽出する。例えば、マスタノードＭ１、Ｍ２は、光伝送路ＯＴ０、ＯＴ１を経由して受信するフレームからマスタノードＭ３が生成する自ノードクロックを抽出し、抽出したクロックに同期して動作する。ここで、自ノードクロックは、各ノードで生成されるクロックである。
【０００９】
スレーブノードＳ１−Ｓ４は、情報が格納されたフレームを互いに逆方向に伝送する０系および１系に二重化された伝送路により互いに接続されている。０系の伝送路ＭＴ０および１系の伝送路ＭＴ１は、例えば、メタル伝送路である。スレーブノードＳ１、Ｓ４は、マスタノードＭ１、Ｍ２とそれぞれ接続されている。スレーブノードＳ１−Ｓ４およびマスタノードＭ１、Ｍ２は、伝送路ＭＴ０、ＭＴ１、ＯＴ０、ＯＴ１により接続されるリング型ネットワークを構成している。
【００１０】
ノードＳ１−Ｓ４、Ｍ１、Ｍ２は、クロックが中継されたノードの中継段数を示す中継段数情報およびノード内の動作クロックである基準クロックを選択するための優先順位を示す優先順位情報をフレームのデータ領域とは別の領域に格納する。例えば、中継段数情報および優先順位情報は、フレームのヘッダ領域に格納される。そして、ノードＳ１−Ｓ４、Ｍ１、Ｍ２は、データ、中継段数情報および優先順位情報が格納されたフレームを隣接するノードに転送する。
【００１１】
図中の太い線は、メタル伝送路ＭＴ０、ＭＴ１を示している。細い線は、光伝送路ＯＴ０、ＯＴ１を示している。ノードＳ１−Ｓ４、Ｍ１−Ｍ３中の括弧内の符号Ｐ１−Ｐ７は、自ノードクロックの優先順位を示している。優先順位は、例えば、システム設計者によりリング型ネットワークシステムＳＹＳの構築時に設定される。優先順位Ｐ１−Ｐ７は、末尾の数字が小さいほど高い。破線は、基準クロックの入出力経路を示している。例えば、スレーブノードＳ１は、マスタノードＭ１から供給されるクロックをスレーブノードＳ２およびマスタノードＭ１に出力する。
【００１２】
図２は、第１の実施形態のノードＳ１−Ｓ４、Ｍ１、Ｍ２の構成の一例を示している。ノードＳ１−Ｓ４、Ｍ１、Ｍ２は、自ノードクロック生成部１０、優先順位設定部１２、データ転送部１４、１５、クロック抽出部１６、１７、情報抽出部１８、１９およびクロック選択部２０を有し、クロック選択部２０により選択された基準クロックＲＣＫに同期して動作する。基準クロックＲＣＫは、各ノードの内部動作の同期クロックであり、ノード間の同期を取るために使用される。
【００１３】
自ノードクロック生成部１０は、例えば、水晶発振子を有する発振回路、論理回路の組み合わせで発信する発振回路あるいは抵抗と容量により発信する発振回路を有し、自ノードクロックを生成する。優先順位設定部１２は、クロック選択部２０に自ノードクロックの優先順位を通知する。優先順位は、例えば、システム設計者等により決められ、リング型ネットワークシステムＳＹＳの動作前あるいは構築時に優先順位設定部１２に設定される。
【００１４】
データ転送部１４、１５は、中継段数情報および優先順位情報を、例えば、フレームのヘッダ領域に格納し、ヘッダ領域に中継段数情報および優先順位情報が格納されたフレームを隣接するノードに転送する。中継段数情報および優先順位情報をフレームに格納する例の詳細は、後述する図３−図６で説明する。
クロック抽出部１６、１７は、例えば、受信するフレームに記憶されている同期信号に基づいて、伝送路ＭＴ０、ＭＴ１のクロックを抽出する。以後、伝送路ＭＴ０から抽出されるクロックを０系クロック、伝送路ＭＴ１から抽出されるクロックを１系クロックとも称する。情報抽出部１８は、０系クロックの中継段数情報および優先順位情報を受信するフレームから抽出する。同様に、情報抽出部１９は、１系クロックの中継段数情報および優先順位情報を受信するフレームから抽出する。なお、情報抽出部１８、１９のいずれかを、０系および１系の伝送路ＭＴ０、ＭＴ１に共通に使用してもよい。この場合、０系および１系の共通な情報抽出部は、抽出する中継段数情報および優先順位情報が０系クロックおよび１系クロックのどちらの情報かを識別できるように構成される。
【００１５】
クロック選択部２０は、情報抽出部１８、１９により抽出された中継段数情報および優先順位情報、優先順位設定部１２により通知された優先順位に基づいて、０系クロック、１系クロックおよび自ノードクロックの優先順位を比較する。そして、クロック選択部２０は、優先順位の最も高いクロックを選択し、選択したクロックを基準クロックＲＣＫとして出力する。クロック選択部２０は、優先順位の最も高いクロックが複数の伝送路から供給される場合、優先順位の最も高い複数のクロックのうち中継段数の最も少ないクロックを基準クロックＲＣＫとして出力する。これにより、ノードＳ１−Ｓ４、Ｍ１、Ｍ２は、クロックの供給源からの距離による劣化も含めた劣化量の最も少ない高精度のクロックを常に選択できる。この結果、各ノードは、高精度の基準クロックＲＣＫに同期して動作するため、誤り率の低い高品質な通信を確保できる。
【００１６】
図３は、第１の実施形態のフレームのフォーマットの一例を示している。図３に示したマルチフレームＭＦのフォーマットは、ＴＴＣ  ＪＴ−Ｇ７０４、ＩＴＵ−Ｔ  Ｇ７０４およびＴＴＣ  ＪＴ−Ｉ４３１−ａに規定されている１．５Ｍｂｐｓの２４マルチフレームフォーマットであるため、詳細な説明を省略する。付加ビットＦ（以後、Ｆビットとも称する）は、各フレームに１ビット割り当てられる。フレーム番号ＦＮＯは、マルチフレームＭＦを構成している各フレームの順番を示している。例えば、フレーム番号ＦＮＯ２４のデータ”１”は、マルチフレームＭＦの最後（２４番目）のフレームのＦビットのデータである。
【００１７】
ＦビットのデータＤは、１２ビットのデータリンクビットであり、対局警報の転送に使用される。ＦビットのデータＥは、ＣＲＣ（Cyclic Redundancy Check）に使用される。Ｆビット（ＦＮＯ４、８、１２、１６、２０、２４）のデータ列”０、０、１、０、１、１”は、フレームを同期させるときに使用される同期ビットである。１．５Ｍ伝送路によるリング型ネットワークシステムＳＹＳでは、１．５Ｍｂｐｓの２４マルチフレームフォーマットにおけるＦビットのデータリンクビットＤを使用し、中継段数情報および優先順位情報を転送する。
【００１８】
図４は、図３に示した１．５Ｍｂｐｓの２４マルチフレームＭＦのＦビットに中継段数情報および優先順位情報を格納したときの一例を示している。図３で説明した要素と同一の要素については、同一の符号を付し、これ等については、詳細な説明を省略する。上述した図２に示したデータ転送部１４、１５は、対局警報、優先順位情報および中継段数情報を２ビットのＤｓ、５ビットのＤｐおよび５ビットのＤｈ（図中の網掛け部分）にそれぞれ格納する。そして、データ転送部１４、１５は、対局警報、優先順位情報および中継段数情報が格納されたＦビットを含むマルチフレームＭＦを転送する。
【００１９】
優先順位情報および中継段数情報を上述した規格のマルチフレームＭＦに格納しているため、無線伝送あるいはスタッフ多重方式で多重化する伝送等の他速度の伝送路や他装置を経由する場合においても、ノードＳ１−Ｓ４、Ｍ１、Ｍ２は、優先順位情報および中継段数情報を他速度の伝送路や他装置を経由して他のノードに転送できる。したがって、他速度の伝送路や他装置をノード間で経由するリング型ネットワークシステムＳＹＳにおいても、高精度のクロックを常に選択できるため、高品質な通信を確保できる。
【００２０】
なお、６ビット以上の優先順位情報および中継段数情報を必要とするシステムでは、図中に示したＦビットをマルチフレーム化することにより、必要なビット数を得ることができる。例えば、データ転送部１４、１５は、マルチフレームＭＦの２回の転送で優先順位情報および中継段数情報を格納する。この場合、マルチフレーム同期に２ビット（各フレームで１ビット）使用し、優先順位情報および中継段数情報を９ビットのＤｐおよび９ビットのＤｈにそれぞれ格納できる。
【００２１】
図５は、第１の実施形態のフレームのフォーマットの別の例を示している。図５に示したフレームのフォーマットは、ＴＴＣ  ＪＴ−Ｇ７０３、ＴＴＣ  ＪＴ−Ｇ７０３−ａ、ＩＴＵ−Ｔ  Ｇ７０３、ＴＴＣ  ＪＴ−Ｇ７０４およびＩＴＵ−Ｔ  Ｇ７０４に規定されている６Ｍｂｐｓの４マルチフレームフォーマットであるため、詳細な説明を省略する。Ｆビットは、マルチフレームＭＦ１−ＭＦ４にそれぞれ４ビット（図中のＦ１、Ｆ２、Ｆ３、Ｆ４、Ｆ５）割り当てられる。
【００２２】
ＴＴＣ  ＪＴ−Ｇ７０３−ａでは、Ｆビットのデータｍ、ｘ、ａおよびｅ１−ｅ５は、それぞれデータリンクビット（上述の規格に規定されたパターンの繰り返し）、予備ビット（全て”１”に固定）、未使用ビット（”０”に固定）およびＣＲＣチェックビットである。ＴＴＣ  ＪＴ−Ｇ７０４およびＩＴＵ−Ｔ  Ｇ７０４では、Ｆビットのデータｍ、ｘ、ａおよびｅ１−ｅ５は、それぞれデータリンクビット（未使用時は全て”０”に固定）、予備ビット（全て”１”に固定）、リモートエンドビット（”１”でアラーム、”０”で正常）およびＣＲＣチェックビットである。６Ｍ伝送路によるリング型ネットワークシステムＳＹＳでは、６Ｍｂｐｓの４マルチフレームフォーマットにおけるＦビットの予備ビットｘと未使用ビットａあるいはｍを使用し、中継段数情報および優先順位情報を転送する。
【００２３】
図６は、図５に示した６Ｍｂｐｓの４マルチフレームフォーマットのＦビットに中継段数情報および優先順位情報を格納したときの一例を示している。図５で説明した要素と同一の要素については、同一の符号を付し、これ等については、詳細な説明を省略する。上述した図２に示したデータ転送部１４、１５は、２番目のマルチフレームＭＦ２のＦビットをさらに４マルチフレーム（図中のＭＦ（０）−ＭＦ（３））化し、５ビットのＤｐおよび５ビットのＤｈに優先順位情報および中継段数情報をそれぞれ格納する。さらに、データ転送部１４、１５は、各フレームのＦビットに１ビットの同期ビットＦｓを格納し、情報が格納されたＦビットを含むマルチフレームＭＦ２（０）−ＭＦ２（３）を転送する。同期ビットＦｓは、マルチフレームＭＦ２（０）−ＭＦ２（３）を同期させるために使用される。
【００２４】
ＪＴ−Ｇ７０３−ａでは、優先順位情報のビットＤｐ、中継段数情報のビットＤｈおよび同期ビットＦｓは、Ｆビットの予備ビットｘおよび未使用ビットａに格納される。ＴＴＣ  ＪＴ−Ｇ７０４およびＩＴＵ−Ｔ  Ｇ７０４では、優先順位情報のビットＤｐ、中継段数情報のビットＤｈおよび同期ビットＦｓは、Ｆビットの予備ビットｘおよび未使用のデータリンクビットｍに格納される。
【００２５】
図中のフレーム構成では、未使用ビットｘが２ビット残っているため、優先順位情報および中継段数情報は、６ビットまで格納できる。なお、７ビット以上の優先順位情報および中継段数情報を必要とするシステムでは、Ｆビットの２番目のマルチフレームＭＦ２を５以上のマルチフレームにすることにより、優先順位情報および中継段数情報を格納するために必要なビット数を得ることができる。優先順位情報および中継段数情報を上述した規格のフレームに格納しているため、速度の伝送路や他装置をノード間で経由するリング型ネットワークシステムＳＹＳにおいても、高精度のクロックを常に選択できるため、高品質な通信を確保できる。
【００２６】
図７は、図１および図２に示したノードＳ１−Ｓ４、Ｍ１、Ｍ２における基準クロックＲＣＫの選択の動作フローの一例を示している。ステップＳ１００−Ｓ２２０は、ノードの立ち上げ直後から基準クロックＲＣＫを選択するまでの動作である。図７に示す動作は、ノードＳ１−Ｓ４、Ｍ１、Ｍ２に搭載されているハードウェアにより実施されてもよく、ノードＳ１−Ｓ４、Ｍ１、Ｍ２に搭載されているＣＰＵにより、制御プログラムに基づいて実施されてもよい。
【００２７】
ノードの立ち上げ直後では、各ノードは、自ノードクロックを基準クロックＲＣＫとして選択し、基準クロックＲＣＫに同期して動作する（ステップＳ１００）。ステップＳ１１０では、上述した図２に示した優先順位設定部１２は、クロック選択部２０に自ノードクロックの優先順位情報を通知する。
ステップＳ１２０では、データ転送部１４、１５は、基準クロックＲＣＫの優先順位情報および中継段数情報をクロック選択部２０から取得し、取得した中継段数に１段分を示す”１”を加算して中継段数情報を更新する。そして、データ転送部１４、１５は、取得した優先順位情報および更新した中継段数情報を上述した図４あるいは図６に示したフレームのＦビットに格納し、情報を格納したフレームを隣接するノードに転送する。例えば、上述した図１に示したノードＳ２は、優先順位情報および中継段数情報を格納したフレームをノードＳ１およびＳ３に転送する。
【００２８】
ステップＳ１３０では、クロック抽出部１６、１７は、例えば、受信したフレームに記憶されている同期信号に基づいて、０系クロックおよび１系クロックを抽出する。情報抽出部１８、１９は、受信したフレームから優先順位情報および中継段数情報を抽出する。例えば、ノードＳ２の情報抽出部１８は、ノードＳ１から受信したフレームから０系クロックの優先順位情報および中継段数情報を抽出し、情報抽出部１９は、ノードＳ３から受信したフレームから１系クロックの優先順位情報および中継段数情報を抽出する。
【００２９】
ステップＳ１４０では、クロック選択部２０は、優先順位設定部１２から送付された自ノードクロックの優先順位、情報抽出部１８、１９により抽出された０系クロックおよび１系クロックの優先順位を比較する。自ノードクロックの優先順位が最も高い場合あるいは自ノードクロックと抽出したクロック（０系クロックあるいは１系クロック）の優先順位が等しい場合（ステップＳ１５０のＹ）、ステップＳ１６０において、クロック選択部２０は、自ノードクロックを基準クロックＲＣＫとして選択する。ノードは、クロック選択部２０により選択された基準クロックＲＣＫに同期して動作する。
【００３０】
ステップＳ１５０において、受信したクロックの優先順位が自ノードクロックの優先順位に比べて高い場合（ステップＳ１５０のＮ）、処理はステップＳ１７０に移る。ステップＳ１７０において、０系クロックと１系クロックの優先順位が等しい場合（ステップＳ１７０のＹ）、処理はステップＳ１８０に移る。ステップＳ１８０では、クロック選択部２０は、情報抽出部１８、１９により抽出された０系クロックおよび１系クロックの中継段数を比較する。
【００３１】
０系クロックの中継段数が１系クロックの中継段数に比べて少ない場合（ステップＳ１９０のＹ）、ステップＳ２００において、クロック選択部２０は、０系クロックを基準クロックＲＣＫとして選択する。０系クロックの中継段数が１系クロックの中継段数に比べて多い場合（ステップＳ１９０のＮ）、ステップＳ２２０において、クロック選択部２０は、１系クロックを基準クロックＲＣＫとして選択する。このように優先順位が互いに等しい場合、クロック選択部２０は、中継段数が少ない方のクロックを基準クロックＲＣＫとして選択する。これにより、各ノードは、中継距離による劣化の少ない高精度な基準クロックＲＣＫに同期して動作する。この結果、リング型ネットワークシステムＳＹＳは、誤り率の低い高品質な通信を確保できる。
【００３２】
ステップＳ１７０において、０系クロックと１系クロックの優先順位が違う場合（ステップＳ１７０のＮ）、処理はステップＳ２１０に移る。０系クロックの優先順位が１系クロックの優先順位に比べて高い場合（ステップＳ２１０のＹ）、ステップＳ２００において、クロック選択部２０は、０系クロックを基準クロックＲＣＫとして選択する。０系クロックの優先順位が１系クロックの優先順位に比べて低い場合（ステップＳ２１０のＮ）、ステップＳ２２０において、クロック選択部２０は、１系クロックを基準クロックＲＣＫとして選択する。
【００３３】
ステップＳ１００−Ｓ２２０により基準クロックＲＣＫを選択した後は、各ノードは、ステップＳ１２０−Ｓ２２０の処理を繰り返し、中継距離による劣化の少ない高精度なクロックを基準クロックＲＣＫとして常に選択する。この結果、リング型ネットワークシステムＳＹＳは、誤り率の低い高品質な通信を常に確保できる。
図８は、図１に示したリング型ネットワークシステムＳＹＳの基準クロックＲＣＫの選択動作の具体例を示している。図１で説明した要素と同一の要素については、同一の符号を付し、これ等については、詳細な説明を省略する。メタル伝送路ＭＴ０、ＭＴ１に添付されている括弧内の符号Ｐ１およびＨ１−Ｈ３は、フレームに格納されている基準クロックの優先順位および中継段数を示している。優先順位は、末尾の数字が小さい方が高く、中継段数は、末尾の数字が小さい方が少ない。
【００３４】
ノードＭ１、Ｍ２は、光伝送路ＯＴ０あるいはＯＴ１から受信したフレームからクロックを抽出し、抽出したクロックに同期して動作している。例えば、ノードＭ１、Ｍ２は、受信したフレームからノードＭ３の自ノードクロックを抽出する。このノードＭ１、Ｍ２の動作クロックが最も高い優先順位（Ｐ１）に設定されている。ノードＭ１、Ｍ２、Ｓ１−Ｓ４の自ノードクロックは、図中のノード内に記載されている括弧内の符号Ｐ２−Ｐ７で示した優先順位に予め設定されている。
【００３５】
ノードＳ１はノードＭ１からの０系クロック（Ｐ１、Ｈ１）、自ノードクロック（Ｐ４、Ｈ０）、ノードＳ２からの１系クロックであるノードＳ２の自ノードクロック（Ｐ６、Ｈ１）の優先順位を比較し、優先順位の高い０系クロックに同期する。同様に、ノードＳ２、Ｓ３およびＳ４は、０系クロック、１系クロック、１系クロックにそれぞれ同期する。ここで、ノードＳ２は、ノードＳ１からの０系クロック（Ｐ１、Ｈ２）とノードＳ３からの１系クロック（Ｐ１、Ｈ３）の中継段数の比較により、中継段数の小さい０系クロックを上述した図２に示した基準クロックＲＣＫとして選択している。同様に、ノードＳ３は、ノードＳ４からの１系クロック（Ｐ１、Ｈ２）とノードＳ２からの０系クロック（Ｐ１、Ｈ３）の中継段数の比較により、中継段数の小さい１系クロックを基準クロックＲＣＫとして選択している。この結果、各ノードは、中継距離による劣化の少ない高精度なクロックを基準クロックＲＣＫとして常に選択できる。これにより、リング型ネットワークシステムＳＹＳは、誤り率の低い高品質な通信を常に確保できる。
【００３６】
また、この実施形態では、各クロックに対して優先順位情報が予め設定されているため、マスタノードを固定する必要がなく、任意のノードをマスタノードとして選択できる。例えば、図中のリング型ネットワークシステムＳＹＳでは、優先順位が互いに等しいクロックに同期しているノードＭ１およびＭ２をマスタノードとして選択できる。
図９は、図８に示したリング型ネットワークシステムＳＹＳにおいて伝送路異常が発生した場合の基準クロックＲＣＫの選択動作の一例を示している。図８で説明した要素と同一の要素については、同一の符号を付し、これ等については、詳細な説明を省略する。図中の網掛け部分は、伝送路異常が発生する前のクロックの優先順位および中継段数（図８に示した状態）を示している。
【００３７】
ノードＭ１−Ｓ１間の０系伝送路ＭＴ０に異常（図中の×印）が発生した場合、ノードＳ１は、ノードＭ１からの０系クロック（Ｐ１、Ｈ１）とノードＳ２から折り返された１系クロック（Ｐ１、Ｈ３）が得られなくなるため、自ノードクロック（Ｐ４、Ｈ０）にて自走する。ノードＳ２はノードＳ１からの０系クロックであるノードＳ１の自ノードクロック（Ｐ４、Ｈ１）とノードＳ３からの１系クロック（Ｐ１、Ｈ３）の優先順位を比較し、優先順位の高いノードＳ３からの１系クロックを上述した図２に示した基準クロックＲＣＫとして選択する。
【００３８】
これにより、ノードＳ１は、ノードＳ２から自ノードクロック（Ｐ４、Ｈ０）より優先順位の高い１系クロック（Ｐ１、Ｈ４）を受信するため、自走を止め、優先順位の高い１系クロックに同期する。この結果、伝送路異常が発生した場合においても、リング型ネットワークシステムＳＹＳは、同期を維持し、通信を確保できる。
図１０は、図９に示したリング型ネットワークシステムＳＹＳにおいて別の伝送路に異常が発生した場合の基準クロックＲＣＫの選択動作の一例を示している。図９で説明した要素と同一の要素については、同一の符号を付し、これ等については、詳細な説明を省略する。図中の網掛け部分は、２つ目の伝送路異常が発生する前のクロックの優先順位および中継段数（図９に示した状態）を示している。
【００３９】
図９に示したノードＭ１−Ｓ１間の０系伝送路ＭＴ０の異常（図９および図１０のノードＭ１−Ｓ１間の×印）に加え、ノードＳ３−Ｓ４間の１系伝送路ＭＴ１に異常（図１０のノードＳ３−Ｓ４間の×印）が発生した場合、ノードＳ１、Ｓ２、Ｓ３は、ノードＭ１−Ｍ３で構成される上位の同期網からの最も優先順位の高いクロック（Ｐ１）を得ることができないため、自ノードクロックに同期してそれぞれ自走する。
【００４０】
次に、ノードＳ１は、ノードＳ２からの１系クロック（Ｐ６、Ｈ１）と自ノードクロック（Ｐ４、Ｈ０）の優先順位を比較し、優先順位の高い自ノードクロックを図２に示した基準クロックＲＣＫとして選択する。ノードＳ３は、ノードＳ２からの０系クロック（Ｐ６、Ｈ１）と自ノードクロック（Ｐ７、Ｈ０）の優先順位の比較により、ノード２からの０系クロック（Ｐ６、Ｈ１）を基準クロックＲＣＫとして選択する。ノードＳ２は、ノードＳ１からの０系クロック（Ｐ４、Ｈ１）、ノード３からの１系クロック（Ｐ７、Ｈ１）および自ノードクロック（Ｐ６、Ｈ０）の優先順位の比較により、ノードＳ１からの０系クロック（Ｐ４、Ｈ１）を基準クロックＲＣＫとして選択する。
【００４１】
この結果、ノードＳ３は、ノードＳ２において選択された優先順位の高いクロック（Ｐ４、Ｈ２）をノードＳ２から受信するため、ノードＳ１の自ノードクロックである０系クロックに同期する。上述の動作により、伝送路ＭＴ０、ＭＴ１の二重障害によって上位網から切り離されたノードＳ１−Ｓ３は、分断されたネットワーク内（図中の破線の囲み部分）において優先順位の最も高いクロックを基準クロックＲＣＫとして選択する。
【００４２】
すなわち、ノードＳ１−Ｓ３は、ノードＳ１の自ノードクロックに同期して動作する。上述したように、各自ノードクロックに対して優先順位が予め設定されているため、マスタノードを固定する必要がなく、ネットワーク内で優先順位の最も高い自ノードクロックを生成するノードをマスタノードとして随時選択できる。これにより、ノードＳ１−Ｓ３は、分断されたネットワーク内において、ノードＳ１をマスタノードとして通信を確保できる。
【００４３】
図１１は、本発明の比較例を示している。図１１に示したリング型ネットワークシステムＳＹＳ２は、マスタノードＭ１Ａ、Ｍ２Ａ、Ｍ３ＡおよびスレーブノードＳ１Ａ、Ｓ２Ａ、Ｓ３Ａ、Ｓ４Ａを有している。リング型ネットワークシステムＳＹＳ２は、基準クロックを選択するための動作が図１に示したリング型ネットワークシステムＳＹＳと異なる。その他の動作は、図１に示したリング型ネットワークシステムＳＹＳと同じである。図１で説明した要素と同一の要素については、同一の符号を付し、これ等については、詳細な説明を省略する。図中の破線の意味は、上述した図１と同じである。ノードＳ１Ａ−Ｓ４Ａ中の括弧内の中継段数Ｈ１−Ｈ４の意味は、上述した図８と同じである。
【００４４】
マスタノードＭ１ＡとマスタノードＭ２Ａ間は、伝送路ＯＴ０、ＯＴ１から抽出されたクロックにより同期が確立している。スレーブノードＳ１Ａ−Ｓ４Ａは、マスタノードＭ１ＡあるいはＭ２Ａからのいずれか一方のクロックを基準クロックとして選択し、選択した基準クロックに同期して動作する。例えば、マスタノードＭ１Ａからの基準クロックが選択されている場合、スレーブノードＳ４Ａは、距離の近いマスターノードＭ２Ａからの基準クロックではなく、ノードＭ１Ａ−Ｓ１Ａ−Ｓ２Ａ−Ｓ３Ａを経由した距離の遠いマスタノードＭ１Ａからの基準クロックに同期して動作する。
【００４５】
したがって、スレーブノードＳ４Ａの基準クロックは、マスタノードＭ２Ａからのクロックを基準クロックとして選択する場合に比べて、ノードＭ１Ａ−Ｓ１Ａ−Ｓ２Ａ−Ｓ３Ａを経由した分だけ劣化している。このため、マスタノードＭ２Ａに接続された図示していない端末とスレーブノードＳ４Ａに接続された図示していない端末間の通信では、クロックの供給源からの距離による劣化により、誤り率が高くなる場合もある。換言すれば、本発明では、各ノードは、クロックの供給源からの距離による劣化の少ない高精度の基準クロックに同期して動作するため、誤り率の低い高品質な通信を確保できる。
【００４６】
図１２は、複数の場所で伝送路の異常が発生した場合の基準クロック選択の動作における本発明の比較例を示している。図１２に示したリング型ネットワークシステムＳＹＳ３は、図１１に示したリング型ネットワークシステムＳＹＳ２からマスタノードＭ２Ａ、Ｍ３Ａが省かれ、スレーブノードＳ５Ａが追加されて構成されている。図１１で説明した要素と同一の要素については、同一の符号を付し、これ等については、詳細な説明を省略する。図中の破線の意味は、上述した図１と同じである。
【００４７】
リング型ネットワークシステムＳＹＳ３は、ノードＭ１Ａをマスタノード、ノードＳ３Ａをサブマスタノードとして予め設定されている。伝送路ＭＴ０、ＭＴ１に複数箇所の異常（図中の×印）が発生した場合、分断されたノードＳ２Ａ、Ｓ３Ａ、Ｓ４Ａは、例えば、クロックの正常／異常を示す２ビットの制御信号をクロックと共に送受信し、サブマスタノードＳ３Ａに同期して動作する。これにより、ノードＳ２Ａ、Ｓ３Ａ、Ｓ４Ａは、分断されたネットワークの同期を確立する。
【００４８】
最初にノードＳ１Ａ−Ｓ２Ａ間の０系伝送路ＭＴ０に異常（図中のノードＳ１Ａ−Ｓ２Ａ間の×印）が発生し、続いてノードＳ４Ａ−Ｓ５Ａ間の１系伝送路ＭＴ１に異常（図中のノードＳ４Ａ−Ｓ５Ａ間の×印）が発生した場合、ノードＳ１Ａ−Ｓ５Ａは、以下のように動作する。
ノードＳ２Ａは、１系クロックを０系伝送路ＭＴ０に折り返し、０系伝送路ＭＴ０の異常を示す制御信号”０１”を０系伝送路ＭＴ０に出力する。ノードＳ４Ａは、０系伝送路の異常とノードＳ４Ａ−Ｓ５Ａ間の１系伝送路ＭＴ１の異常により自ノードクロックに同期して動作する自走状態となる。そして、ノードＳ４Ａは、伝送路の異常により自走状態となったことを示す制御信号”１１”および自ノードクロックを両系の伝送路ＭＴ０、ＭＴ１に出力する。
【００４９】
サブマスタノードＳ３Ａは、ノードＳ２Ａ、Ｓ４Ａからの制御信号”０１”、”１１”の受信により、ノードＳ４Ａに代わって自走状態となる。そして、ノードＳ３Ａは、伝送路の異常により自走状態となったことを示す制御信号”１１”および自ノードクロックを両系の伝送路ＭＴ０、ＭＴ１に出力する。
ノードＳ４Ａは、ノードＳ３Ａからの制御信号”１１”の受信により、自走を止めて受信したクロックに同期して動作し、制御信号”０１”を１系伝送路ＭＴ１に出力する。また、ノードＳ１Ａは、０系伝送路ＭＴ０の正常状態を示す制御信号および１系伝送路ＭＴ１の異常を示す制御信号”０１”の受信により、０系クロックを１系伝送路ＭＴ１に折り返し、１系伝送路ＭＴ１の異常を示す制御信号”０１”を１系伝送路ＭＴ１に出力する。同様に、ノードＳ５Ａは、１系クロックを０系伝送路ＭＴ０に折り返す。
【００５０】
上述した動作により、伝送路ＭＴ０、ＭＴ１の複数の異常により分断されたノードＳ２Ａ−Ｓ４Ａは、サブマスタノードＳ３Ａに同期して動作できる。しかし、分断されたノードＳ２Ａ−Ｓ４ＡにサブマスタノードＳ３Ａが含まれているいない場合、例えば、ノードＳ５Ａがサブマスタノードに設定されている場合、分断されたノードＳ２Ａ−Ｓ４Ａは、基準クロック選択のための優先順位が設定されていないため、基準クロックを確定できない。また、複数の故障が同時に発生した場合、分断されたネットワークの両端ノードがそれぞれ自走状態となり、同期が確立できない場合もある。
【００５１】
換言すれば、本発明では、各自ノードクロックに対して優先順位が予め設定されているため、サブマスタノードを設定する必要がなく、ネットワーク内で優先順位の最も高い自ノードクロックを生成するノードに同期して動作する。これにより、伝送路ＭＴ０、ＭＴ１の故障の数および場所に依存することなく、分断された各ノードは、分断されたネットワーク内で通信を常に確保できる。
【００５２】
以上、第１の実施形態では、各ノードは、基準クロックの優先順位情報および中継段数情報をフレームのヘッダ領域等に格納し、情報を格納したフレームを隣接するノードに転送する。そして、各ノードは、隣接するノードから受信した優先順位情報および中継段数情報に基づいて、優先順位が予め設定されている自ノードクロック、０系クロック、１系クロックのいずれかを基準クロックとして選択する。各ノードは、クロックの中継段数情報を受信しているため、０系クロックと１系クロックの優先順位が互いに等しい場合、中継段数の少ないクロックを基準クロックとして選択できる。
【００５３】
これにより、各ノードは、中継距離による劣化の少ない高精度なクロックを基準クロックＲＣＫとして常に選択できる。この結果、リング型ネットワークシステムＳＹＳは、誤り率の低い高品質な通信を常に確保できる。また、伝送路ＭＴ０、ＭＴ１の異常によりネットワークが分断された場合でも、各ノードは、ネットワーク内で優先順位の最も高い自ノードクロックを生成するノードに同期して動作し、分断されたネットワーク内で通信を常に確保できる。
【００５４】
図１３は、本発明の第２の実施形態を示している。第１の実施形態で説明した要素と同一の要素については、同一の符号を付し、これ等については、詳細な説明を省略する。この実施形態のリング型ネットワークシステムＳＹＳ４は、マスタノードＭ４、スレーブノードＳ５、Ｓ６、Ｓ７および外部クロック源ＥＣ１、ＥＣ２を有している。スレーブノードＳ５、Ｓ６の構成は、第１の実施形態のスレーブノードＳ１−Ｓ４と同じである。
【００５５】
マスタノードＭ４は、スレーブノードＳ５−Ｓ７より上位の同期網（例えば、上述した図１に示した光伝送のリング型ネットワーク）、外部クロック源ＥＣ１およびスレーブノードＳ６、Ｓ７と接続している。スレーブノードＳ７は、外部クロック源ＥＣ２、スレーブノードＳ５およびマスタノードＭ４と接続している。図中の括弧内の符号Ｐ１−Ｐ６、および破線の意味は、上述した図１と同じである。
【００５６】
外部クロック源ＥＣ１、ＥＣ２は、例えば、温度等による周波数の変化が小さい高精度のクロックを発生するクロック発生装置である。なお、スレーブノードＳ５−Ｓ７より上位の同期網のノード、例えば、図１のマスタノードＭ３で抽出されたクロックが、伝送路ＭＴ０、ＭＴ１とは別の伝送路を介してスレーブノードＳ７に入力された場合、マスタノードＭ３が外部クロック源ＥＣ２に相当する。
【００５７】
図１４は、第２の実施形態のノードＳ７、Ｍ４の構成の一例を示している。第１の実施形態で説明した要素と同一の要素については、同一の符号を付し、これ等については、詳細な説明を省略する。ノードＳ７、Ｍ４は、第１の実施形態のノードＳ１、Ｍ１に外部クロック入力部２２が追加されて構成されている。また、ノードＳ７、Ｍ４は、第１の実施形態の優先順位設定部１２、クロック選択部２０の代わりに優先順位設定部１２Ａ、クロック選択部２０Ａを有している。ノードＳ７、Ｍ４のその他の構成は、第１の実施形態のノードＳ１、Ｍ１と同じである。
【００５８】
外部クロック入力部２２は、図１３で示した外部クロック源ＥＣ１あるいはＥＣ２により生成された外部クロックを受信する。優先順位設定部１２Ａは、クロック選択部２０Ａに自ノードクロックおよび受信する外部クロックの優先順位を通知する。クロック選択部２０Ａは、優先順位および中継段数に基づいて、０系クロック、１系クロック、自ノードクロックおよび外部クロックのいずれかを基準クロックＲＣＫとして出力する。
【００５９】
ノードＳ７、Ｍ４における基準クロックＲＣＫの選択動作は、クロックの比較対象に外部クロックが追加される以外は、上述した図７および図８で説明した動作と同じため、詳細な説明を省略する。同様に、図１３に示したリング型ネットワークシステムＳＹＳ４における基準クロックＲＣＫの選択動作は、ノードＳ７、Ｍ４以外は、上述した図７および図８で説明した動作と同じため、詳細な説明を省略する。
【００６０】
以上、第２の実施形態においても、上述した第１の実施形態と同様の効果を得ることができる。さらに、リング型ネットワークシステムＳＹＳ４は、高精度な外部クロックに同期しているため、誤り率の低い高品質な通信を確保できる。
上述した実施形態では、優先順位設定部１２、１２Ａが優先順位情報をクロック選択部２０、２０Ａに通知する例について述べた。本発明は、かかる実施形態に限定されるものではない。例えば、優先順位設定部１２、１２Ａをレジスタで構成し、クロック選択部２０、２０Ａがレジスタに記憶されている優先順位情報を読み出してもよい。この場合にも、上述した実施形態と同様の効果を得ることができる。
【００６１】
上述した第２の実施形態では、クロック選択部２０Ａが０系クロック、１系クロック、自ノードクロックおよび外部クロックのいずれかを基準クロックＲＣＫとして出力する例について述べた。本発明は、かかる実施形態に限定されるものではない。例えば、図１５に示すように、クロック選択部２０Ｂは、スイッチＳＷ１により優先順位の高い方のクロックだけ受信してもよい。自ノードクロックに比べて外部クロックの優先順位が高い場合、クロック選択部２０Ｂは、０系クロック、１系クロックおよび外部クロックのいずれかを基準クロックＲＣＫとして出力する。図１５に示したノードＳ７ＡおよびＭ４Ａは、図１４に示したノードＳ７およびＭ４にそれぞれ対応する。
【００６２】
この場合にも、上述した第２の実施形態と同様の効果を得ることができる。さらに、クロック選択部２０Ｂが比較するクロックの数が少ないため、クロックの切り替えをクロック選択部２０Ａに比べて高速にできる。高精度な基準クロックに高速に切り替わるため、高品質な通信を常に確保できる。
以上、本発明について詳細に説明してきたが、上記の実施形態およびその変形例は発明の一例に過ぎず、本発明はこれに限定されるものではない。本発明を逸脱しない範囲で変形可能であることは明らかである。
【産業上の利用可能性】
【００６３】
互いに逆方向に信号を伝送する二重化された伝送路により構成されるリング型ネットワークシステムに利用できる。
【図面の簡単な説明】
【００６４】
【図１】本発明の第１の実施形態を示すブロック図である。
【図２】第１の実施形態の各ノードの構成の一例を示すブロック図である。
【図３】第１の実施形態のフレームのフォーマットの一例を示す説明図である。
【図４】図３に示したフレームに中継段数情報および優先順位情報を格納したときの一例を示す説明図である。
【図５】第１の実施形態のフレームのフォーマットの別の例を示す説明図である。
【図６】図５に示したフレームに中継段数情報および優先順位情報を格納したときの一例を示す説明図である。
【図７】第１の実施形態のノードにおける基準クロックの選択の動作の一例を示すフロー図である。
【図８】第１の実施形態のリング型ネットワークシステムにおける基準クロックの選択動作の具体例を示す説明図である。
【図９】図８に示したリング型ネットワークシステムにおいて伝送路異常が発生した場合の基準クロック選択の動作の一例を示す説明図である。
【図１０】図９に示したリング型ネットワークシステムにおいて別の伝送路に異常が発生した場合の基準クロック選択の動作の一例を示す説明図である。
【図１１】本発明の比較例を示す説明図である。
【図１２】本発明の別の比較例を示す説明図である。
【図１３】本発明の第２の実施形態を示すブロック図である。
【図１４】第２の実施形態の各ノードの構成の一例を示すブロック図である。
【図１５】第２の実施形態の各ノードの構成の別の例を示すブロック図である。
【符号の説明】
【００６５】
１０‥自ノードクロック生成部；１２、１２Ａ、１２Ｂ‥優先順位設定部；１４、１５‥データ転送部；１６、１７‥クロック抽出部；１８、１９‥情報抽出部；２０、２０Ａ、２０Ｂ‥クロック選択部；２２‥外部クロック入力部；ＥＣ１、ＥＣ２‥外部クロック源；Ｈ０−Ｈ４‥中継段数情報；Ｍ１−Ｍ４、Ｍ１Ａ−Ｍ３Ａ、Ｓ１−Ｓ７、Ｓ１Ａ−Ｓ５Ａ‥ノード；ＭＴ０、ＭＴ１、ＯＴ０、ＯＴ１‥伝送路；Ｐ１−Ｐ７‥優先順位情報；ＲＣＫ‥基準クロック；ＳＹＳ、ＳＹＳ１−ＳＹＳ４‥リング型ネットワークシステム
【図１】
2008011223.tif 000003
【図２】
2008011223.tif 000004
【図３】
2008011223.tif 000005
【図４】
2008011223.tif 000006
【図５】
2008011223.tif 000007
【図６】
2008011223.tif 000008
【図７】
2008011223.tif 000009
【図８】
2008011223.tif 000010
【図９】
2008011223.tif 000011
【図１０】
2008011223.tif 000012
【図１１】
2008011223.tif 000013
【図１２】
2008011223.tif 000014
【図１３】
2008011223.tif 000015
【図１４】
2008011223.tif 000016
【図１５】
2008011223.tif 000017